(57)【要約】【課題】従来は、調速機構と連結している作業ロープや滑車等を用いて非常止め装置を動作させているため、昇降路に作業ロープや滑車等を設ける余分なスペースが必要となり、昇降路の省スペース化を実現できない。【解決手段】かご４下部には、くさび２１を押し上げるためのくさび動作用ばね２２を有する下降防止非常止め装置８a、くさび２１と連結した下降防止ロッド２３a、下降防止ロッド２３aと連結した下降防止ラッチ２４aと下降防止ストッパ２５a、下降かごシーブ９aに具備された下降防止ストッパ用ピン３０aが設けられている。そのため、昇降路１内に余分なスペースを必要とせず、昇降路の省スペース化を実現できる。【選択図】  図３
2005104653.tif 000002
【特許請求の範囲】
【請求項１】
昇降路に立設されたかご用ガイドレールに沿って昇降するかごと、
前記かごを吊設し、前記かごを吊持するロープが巻掛けられたかごシーブと、
前記かごに設けられ、前記かご用ガイドレールに係合して前記かごの移動を制御可能な非常止め装置と、
前記非常止め装置の内部で、前記かごシーブ回転速度が設定値以上の場合には、前記かごの移動を制御する非常止め用弾性体と、
前記非常止め装置と連結し、前記かごシーブ回転速度に応じて、前記非常止め用弾性体の動作を拘束する伝達機構と、
前記かごシーブに配置され、前記かごシーブ回転速度が設定値以上の場合には、前記伝達機構を通じて前記非常止め装置を動作可能とするガバナと、
を備えることを特徴としたエレベータ。
【請求項２】
昇降路に立設されたかご用ガイドレールに沿って昇降するかごと、
前記かごを吊設し、前記かごを吊持するロープが巻掛けられたかごシーブと、
前記かごと前記ロープを介して懸架され、昇降路に立設されたカウンタウェイト用ガイドレールに沿って昇降するカウンタウェイトと、
前記カウンタウェイトに設けられ、前記かごを吊持する前記ロープが巻掛けられたカウンタシーブと、
前記かご及び前記カウンタウェイトに設けられ、前記かご用ガイドレール及び前記カウンタウェイト用ガイドレールに係合して前記かご及び前記カウンタウェイトを制御可能な非常止め装置と、
前記非常止め装置の内部で、前記かごシーブ回転速度が設定値以上の場合には、前記かごの移動を制御する非常止め用弾性体と、
前記非常止め装置と連結し、前記かごシーブ回転速度に応じて、前記非常止め用弾性体の動作を拘束する伝達機構と、
前記かごシーブ及び前記カウンタシーブに配置され、前記かごシーブ回転速度及び前記カウンタシーブ回転速度が設定値以上の場合には、前記伝達機構を通じて前記非常止め装置を動作可能とするガバナと、
を備えることを特徴としたエレベータ。
【請求項３】
前記ガバナが、前記ロープと接触するように前記かご又は前記カウンタウェイトに固定されたガバナ用シーブに設けられたことを特徴とした請求項１又は請求項２記載のエレベータ。
【請求項４】
前記かご又は前記カウンタウェイトと連結して設けられたベースと、
前記ベースが有する回転軸を中心に回転可能に取りつけられ、前記ロープによって支えられているベース回転体と、
前記ベース回転体の先端に設けられ、前記ロープ切断時において前記ベース回転体の回転運動により、前記伝達機構により妨げられていた前記非常止め用弾性体の弾性力を解放するとともに、前記非常止め装置を動作可能とするおもりと、
からなるロープ切断機構を具備することを特徴とした請求項１乃至請求項３記載のエレベータ。
【請求項５】
前記ガバナが、前記かごシーブ又は前記カウンタシーブの軸と連結して設けられた弾性体とピンによって構成されたことを特徴とした請求項１乃至請求項４記載のエレベータ。
【請求項６】
前記伝達機構が、前記非常止め装置と連結したロッドと、前記ロッドと連結したラッチと、前記かごの速度が設定値以下の場合に前記ラッチと係合し、前記非常止め装置の動作を妨げるストッパで構成されることを特徴とした請求項１乃至請求項５記載のエレベータ。
【請求項７】
前記ラッチと前記ストッパが、前記非常止め装置が動作した後に互いに係合する面がR形状であり、その係合する面と向かい合う面に弾性体を設けたことを特徴とした請求項６記載のエレベータ。
【発明の詳細な説明】
【技術分野】
【０００１】
この発明は、かごの速度が設定値を超えた場合に、ガバナによって非常止め装置を動作させるエレベータに関する。
【背景技術】
【０００２】
近年、昇降路の省スペース化に伴って、ガバナをかごに設置したエレベータが提案されていた。
【０００３】
従来のエレベータの構成について、図２４と図２５を参照して説明する。図２４は、従来のエレベータの側面図、図２５は、従来のエレベータのかごの側面図である。
【０００４】
図２４で示すように、従来のエレベータは、昇降路内１に立設されたかご用ガイドレール２a、かご４、ロープ３を介してかご４と連結しているカウンタウェイト５によって構成されている。
【０００５】
また、昇降路１上部にある機械室１０は、そらせシーブ１１、かご４を引き上げる巻上機１２によって構成されている。
【０００６】
ここで、かご４は、かご用ガイドレール２aと昇降可能に係合してする案内具７が装着されている。また、要時に動作してかご用ガイドレール２aを狭圧してかご４の下降を制動する非常止め装置８が設けられている。
【０００７】
また、かご４下部の両端部には、かごシーブ９が設けられている。そして、そのかごシーブ９にはロープ３が巻掛けられており、かご４を支えている。
【０００８】
さらに、かごシーブ９には、調速機構(図示せず)が設けられており、かごシーブ９の回転速度が設定値以上になると、調速機構が作動するように設定されている。
また、カウンタウェイト５は、その上部にカウンタシーブ６が設けられており、ロープ３を介してかご４と連結している。
【０００９】
ここで、かご４の非常止め装置８付近の構成について、図２５を参照して説明する。
【００１０】
かご４の非常止め装置８は、作業ロープ１３、滑車１４を介してかごシーブ９に設けられた調速機構のリール(図示せず)と連結している。
【００１１】
ここで、作動ロープ１３について、その一端は、かごシーブ９に設けられている調速機構と連結し、かご４に枢着されて非常止め装置８よりも上方に配置されたシーブ１４に巻掛けられている。
【００１２】
また、その他端は、非常止め装置８と連結されている。
上記のようなエレベータでは、かご４の昇降速度が設定値を超えた場合に、かごシーブ９に設けられた調速機構内のリールにより作動ロープ１３が巻きとられる。
そのとき、作動ロープ１３と連結した非常止め装置８が作動し、非常止め装置８がかご用ガイドレール２aに狭圧する。
【００１３】
そして、非常止め装置８とかご用ガイドレール２aとの摩擦により、非常止め装置８は、かご４の下降を阻止する。
【特許文献１】特開2002−96982号公報  (第３−４頁、図１、図２)
【発明の開示】
【発明が解決しようとする課題】
【００１４】
しかしながら、上記のエレベータには、次のような問題点がある。
【００１５】
それは、滑車１４とかごシーブ９の距離及び滑車１４と非常止め装置８の距離が大きい。
【００１６】
そのため、非常止め装置８を動作させる滑車１４と作業ロープ１３を装備するために昇降路１に余分なスペースが必要となる。
【００１７】
以上から、昇降路１の省スペース化を実現することが困難である。
【００１８】
そこで、本発明では、上記従来の問題点を解決するためになされたもので、非常止め装置に設けられた非常止め用弾性体により非常止め装置を動作させることにより、昇降路に非常止め装置を動作させる装置を設置するスペースを必要とせず、昇降路の省スペース化を実現できるエレベータの提供を目的とする。
【課題を解決するための手段】
【００１９】
上記の目的を達成するために、本発明のエレベータは、「昇降路に立設されたかご用ガイドレールに沿って昇降するかごと、前記かごを吊設し、前記かごを吊持するロープが巻掛けられたかごシーブと、前記かごに設けられ、前記かご用ガイドレールに係合して前記かごの移動を制御可能な非常止め装置と、前記非常止め装置の内部で、前記かごシーブ回転速度が設定値以上の場合には、前記かごの移動を制御する非常止め用弾性体と、前記非常止め装置と連結し、前記かごシーブ回転速度に応じて、前記非常止め用弾性体の動作を拘束する伝達機構と、前記かごシーブに配置され、前記かごシーブ回転速度が設定値以上の場合には、前記伝達機構を通じて前記非常止め装置を動作可能とするガバナと、を備えること」を特徴としている。
【発明の効果】
【００２０】
本発明のエレベータによれば、昇降路の省スペース化を実現できる。
【発明を実施するための最良の形態】
【００２１】
以下、図面を参照しながら、本発明の実施の形態について説明する。
【実施例１】
【００２２】
以下、本発明の実施例１について、図１〜図６を参照して説明する。
【００２３】
図１は、本発明のエレベータの全体図、図２は、本発明の実施例１に係るガバナ動作前のかごの側面図、図３は、本発明の実施例１に係るガバナ動作前のかごの正面図、図４は、本発明の実施例１に係るガバナ動作中のかごの正面図、図５は、本発明の実施例１に係るガバナ動作後のかごの側面図、図６は、本発明の実施例１に係るガバナ動作後のかごの正面図である。
【００２４】
まず、本発明の実施例１に係るエレベータの構成について図１を参照して説明する。
【００２５】
図１に示すように、本発明のエレベータは、昇降路１内に配置されるかご４、カウンタシーブ６を上部に有するカウンタウェイト５、昇降路１に立設されているかご用ガイドレール２a及びカウンタウェイト用ガイドレール２bを有してなる。
【００２６】
さらに、昇降路１上部の機械室１０は、巻上機１１、そらせシーブ１２により構成されている。
【００２７】
ここで、かご４は、カウンタウェイト５の上部に設けられたカウンタシーブ６にロープ３を巻掛けて、カウンタウェイト５を懸架している。
【００２８】
また、かご４又はカウンタウェイト５の上部及び下部には、案内具７が、かご用ガイドレール２a及びカウンタウェイト用ガイドレール２bと昇降可能となるように装着されている。
【００２９】
さらに、かご４下部の両端部には、ロープ３が巻掛けられている下降かごシーブ９a及び上昇かごシーブ９bが設けられ、かご４を支えている。
【００３０】
また、かご４又はカウンタウェイト５の下部には、かご４又はカウンタウェイト５の異常下降を防止する下降防止非常止め装置８aが設けられている。
【００３１】
さらに、かご４又はカウンタウェイト５の上部には、かご４又はカウンタウェイト５の異常上昇を防止する上昇防止非常止め装置８bが設けられている。
【００３２】
これにより、かご４又はカウンタウェイト５の異常下降又は異常上昇するのを防ぐことができる。
【００３３】
次に、本発明の実施例１に係るエレベータのかごを図２と図３を参照して説明する。
【００３４】
まず、非常止め装置８の周辺について説明する。
【００３５】
図２と図３に示すように、下降防止非常止め装置８aには、くさび２１を押し上げるためのくさび動作用ばね２２(非常止め用弾性体)が設置され、くさび２１に接続されている。また、くさび２１は下降防止ロッド２３a(伝達機構)と接続されている。さらに、下降防止ロッド２３aは、もう一方の下降防止非常止め装置８aと連結しており、２つの下降防止非常止め装置８aが連動して動作するようになっている。
【００３６】
また、下降防止ロッド２３aは、かご４下部まで延長され、かご４下部にて下降防止ラッチ２４a(伝達機構)と連結している。そして、その下降防止ラッチ２４aは、下降防止ストッパ２５a(伝達機構)と係合可能である。
【００３７】
さらに、下降防止ラッチ２４aにおける、下降防止非常止め装置８aが動作した後に下降防止ストッパ２５aと係合する面は、滑らかなR形状となっている。
【００３８】
ここで、ラッチ用ばね２６(伝達機構)は、下降ロッド２３aと連結して設けられている。これにより、下降防止ラッチ２４aが、水平方向に移動可能となっている。
【００３９】
また、ストッパ用ばね２９(伝達機構)は、下降防止非常止め装置８aの、下降防止非常止め装置８aが動作した後に下降防止ストッパ２５aと係合する面と向かい合う面に設けられている。
【００４０】
以上から、下降防止非常止め装置８aが動作した後に下降防止ラッチ２４aと下降防止ストッパ２５aが係合した状態から係合していない状態へと移行しやすい構造となっている。
【００４１】
ここで、下降防止ラッチ２４aは、エレベータの通常運転時には、下降防止ストッパ２５aと噛み合っている。そして、くさび動作用ばね２２の弾性力による下降防止ロッド２３aの上昇を防止している。
【００４２】
一方、下降防止ストッパ２５aは、下降防止ストッパの軸２７a(伝達機構)を中心に回転可能に取りつけられている。そして、その回転運動は、下降防止ストッパ止め２８a(伝達機構)によって止まるようになっている。
【００４３】
同様に、かご４の上部に設けられた上昇防止非常止め装置８bにも、くさび２１を押し上げるためのくさび動作用ばね２２が設置され、くさび２１に接続されている。
【００４４】
また、くさび２１は上昇防止ロッド２３b(伝達機構)と接続されている。さらに、上昇防止ロッド２３bは、もう一方の上昇防止非常止め装置８bと連結している。これにより、くさび２１の動作に対して、２つの上昇防止非常止め装置８bが連動して動作するようになっている。
【００４５】
また、上昇防止ロッド２３bは、かご４下部まで延長され、かご４下部にて上昇防止ラッチ２４b(伝達機構)とも連結している。そして、その上昇防止ラッチ２４bは、上昇防止ストッパ２５b(伝達機構)と係合可能である。
【００４６】
また、上昇防止ラッチ２４bにおける、上昇防止非常止め装置８bが動作した後に上昇防止ストッパ２５bと係合する面は、滑らかなR形状となっている。
【００４７】
ここで、ラッチ用ばね２６は、上昇ロッド２３bと連結して設けられている。これにより、上昇防止ラッチ２４bが、水平方向に移動可能となっている。
【００４８】
また、ストッパ用ばね２９は、上昇防止非常止め装置８bの、上昇防止非常止め装置８bが動作した後に上昇防止ストッパ２５aと係合する面と向かい合う面に設けられている。
【００４９】
以上から、上昇防止非常止め装置８bが動作した後に上昇防止ラッチ２４bと上昇防止ストッパ２５bが係合した状態から係合していない状態へと移行しやすい構造となっている。
【００５０】
ここで、上昇防止ラッチ２４bは、エレベータの通常運転時には、上昇防止ストッパ２５bと噛み合っており、くさび動作用ばね２２の弾性力による上昇防止ロッド２３bの下降を防止している。
【００５１】
一方、上昇防止ストッパ２５bは、上昇防止ストッパの軸２７b(伝達機構)を中心に回転可能に取りつけられ、その回転運動は、上昇防止ストッパ止め２８b(伝達機構)によって止まるようになっている。
【００５２】
次に、かごシーブ９の周辺について説明する。
かご４の下部には、ロープ３が巻掛けられてかご４を支える２つのかごシーブ９である下降かごシーブ９aと上昇かごシーブ９bが設けられている。そして、かご４の上昇又は下降により下降かごシーブ９aと上昇かごシーブ９bは回転する。
【００５３】
下降かごシーブ９aの軸には、下降かごシーブ９aの回転の遠心力により広がるピン３０である下降防止ストッパ用ピン３０a(ガバナ)が設置されている。
【００５４】
同様に、上昇かごシーブ９bの軸には、上昇かごシーブ９bの回転の遠心力により広がるピン３０である上昇防止ストッパ用ピン３０b(ガバナ)が設置されている。
【００５５】
また、下降防止ストッパ用ピン３０aは、ばね３１である下降防止ばね３１a(ガバナ)と、おもり３２である下降防止おもり３２a(ガバナ)から構成されている。
【００５６】
同様に、上昇防止ストッパ用ピン３０bは、ばね３１である上昇防止ばね３１b(ガバナ)と、おもり３２である上昇防止おもり３２b(ガバナ)から構成されている。
【００５７】
ここで、下降かごシーブ９aと上昇かごシーブ９bの回転速度が速くなれば遠心力も増し、下降防止ばね３１a又は上昇防止ばね３１bが伸びるようになっている。
【００５８】
そして、下降防止ばね３１aが伸びることにより、下降防止ストッパ用ピン３０aが下降防止ストッパ２５aに接触するように配置されている。
【００５９】
同様に、上昇防止ばね３１bが伸びることにより、上昇防止ストッパ用ピン３０bが上昇防止ストッパ２５bに接触するように配置されている。
【００６０】
ここで、下降かごシーブ９aと上昇かごシーブ９bの回転速度に対する下降防止ばね３１a又は上昇防止ばね３１bの伸び量は、ばね定数などによって調整することができ、適度に調整されている。
【００６１】
上記構成によれば、まず、図２と図３で示すように、エレベータの通常運転状態では、下降防止ストッパ２５aが下降防止ラッチ２４aと噛み合うことにより、下降防止非常止め装置８aのくさび動作用ばね２２が動作することを妨げている。
【００６２】
同様に、上昇防止ストッパ２５bが上昇防止ラッチ２４bと噛み合うことにより、上昇防止非常止め装置８bのくさび動作用ばね２２が動作することを妨げている。
【００６３】
ここで、かご４の上昇又は下降により、下降かごシーブ９aと上昇かごシーブ９bは回転する。
【００６４】
しかし、下降かごシーブ９aの下降防止おもり３２aが下降防止ストッパ２５aに接触しない。
【００６５】
同様に、上昇かごシーブ９bの上昇防止おもり３２bが上昇防止ストッパ２５bに接触しない。
【００６６】
そのため、下降防止ストッパ２５aと上昇防止ストッパ２５bは解除されない。
【００６７】
よって、エレベータは普通に運転される。
【００６８】
ここで、図４で示すように、かご４の下降速度が設定値を超えた場合、下降かごシーブ９aの回転の遠心力により、下降防止ばね３１aが伸びて外側に広がっていく。
【００６９】
同様に、かご４の上昇速度が設定値を超えた場合、上昇かごシーブ９bの回転の遠心力により、上昇防止ばね３１bが伸びて外側に広がっていく。
【００７０】
ここで、下降かごシーブ９aの下降防止おもり３２aが下降防止ストッパ２５aに接触する。
【００７１】
同様に、上昇かごシーブ９bの上昇防止おもり３２bが上昇防止ストッパ２５bに接触する。
【００７２】
この時、図５で示すように、下降かごシーブ９aが反時計回り(かご４が下降方向に移動)であれば、下降防止ストッパの軸２９aを中心として、下降防止ストッパ２５aが回転する。
【００７３】
これにより、下降防止ロッド２３aの固定を解除する。
【００７４】
もし、下降かごシーブ９aが時計回りであれば、下降防止ストッパ２５aと下降防止おもり３２aは接触する。
【００７５】
しかし、下降防止ストッパ２５aは、下降防止ラッチ２４aと噛み合い、下降防止ストッパ２５aは回転しない。
【００７６】
そのため、下降防止ばね３１aが縮み、下降かごシーブ９aは引き続き回転しつづける。
【００７７】
また、同様に、上昇かごシーブ９bが時計回り(かご４が上昇方向に移動)であれば、上昇防止ストッパの軸２９bを中心として、上昇防止ストッパ２５bが回転する。
【００７８】
よって、上昇防止ロッド２３bの固定を解除する。
【００７９】
もし、上昇かごシーブ９bが反時計回りであれば、上昇防止ストッパ２５bと上昇防止おもり３２bは接触する。
【００８０】
しかし、上昇防止ストッパ２５bは、上昇防止ラッチ２４bと噛み合い、上昇防止ストッパ２５bは回転しない。
【００８１】
そのため、上昇防止おもり３２bが縮み、上昇かごシーブ９bは引き続き回転し続ける。
【００８２】
そして、図５と図６に示すように、下降防止ストッパ２５aが解除されると、下降防止ロッド２３aが動作可能となり、各ロッドと接続されているくさび２１も動作可能となる。
【００８３】
同様に、上昇防止ストッパ２５bが解除されると、上昇防止ロッド２３bが動作可能となり、各ロッドと接続されているくさび２１も動作可能となる。
【００８４】
これにより、くさび２１は、くさび動作ばね２２に押し上げられる。そして、かご用ガイドレール２aに接触する。
【００８５】
そのとき、乗りかごが異常下降している場合には、くさび２１がかご用ガイドレール２aに食い込み、下降防止非常止め装置８aが動作する。
【００８６】
同様に、乗りかごが異常上昇している場合には、くさび２１がかご用ガイドレール２aに食い込み、上昇防止非常止め装置８bが動作する。
【００８７】
以上より、かご４の上昇又は下降を制御される。
【００８８】
次に、非常止め装置８が動作した後の状態を説明する。
【００８９】
図５と図６に示すように、下降防止非常止め装置８aが動作した後では、下降防止ラッチ２４aの先端形状と下降防止ストッパ２５aの先端形状が、それぞれラッチ構造となっていることから、各ラッチと各ストッパは図５と図６に示すような噛み合った状態になる。
【００９０】
同様に、上昇防止非常止め装置８bが動作した後では、上昇防止ラッチ２４bの先端形状と上昇防止ストッパ２５bの先端形状が、それぞれラッチ構造となっていることから、各ラッチと各ストッパは図５と図６に示すような噛み合った状態になる。
【００９１】
そして、下降防止ストッパ２５aを解除して下降防止非常止め装置８aを動作させた場合には、下降防止ストッパ用ピン３０aは、そのままの回転運動により、ロッド側に倒れる。そして、ある角度まで倒れると、下降防止ストッパ止め３０aに接触し、回転運動が停止する。
【００９２】
同様に、上昇防止ストッパ２５bを解除して上昇防止非常止め装置８bを動作させた場合には、上昇防止ストッパ用ピン３０bは、そのままの回転運動により、ロッド側に倒れる。そして、ある角度まで倒れると、上昇防止ストッパ止め３０bに接触し、回転運動が停止する。
【００９３】
さらに、本発明の実施例１に係るエレベータの非常止め装置の動作後の復帰作業を説明する。
【００９４】
図５と図６に示すように、下降防止非常止め装置８aの動作後では、まず、作業員(図示せず)はかご４を上げる。次に、作業員は下降防止ロッド２３aを下側に引く。
【００９５】
すると、係合している下降防止ラッチ２４aと下降防止ストッパ２５aは、互いに係合している面が滑らかなR形状であり、ラッチ用ばね２６とストッパ用ばね２９が伸縮可能であることから、作業員は大きな力を必要とせずに互いの係合状態を解除する方向に動作させることができる。
【００９６】
以上より、作業員は下降防止非常止め装置８aのくさび用動作ばね２２を押し下げ、くさび２１を解除できる。つまり、図１に示すような状態に戻すことができる。
【００９７】
これにより、下降防止非常止め装置８aを解除したのち、エレベータを復帰させることができる。
【００９８】
同様に、上昇防止非常止め装置８bの動作後では、まず、作業員はかご４を下げる。次に、作業員は上昇防止ロッド２３bを引き上げる。
【００９９】
すると、係合している上昇防止ラッチ２４bと上昇防止ストッパ２５bは、互いに係合している面が滑らかなR形状であり、ラッチ用ばね２６とストッパ用ばね２９が伸縮可能であることから、作業員は大きな力を必要とせずに互いの係合状態を解除する方向に動作させることができる。
【０１００】
以上より、作業員は上昇防止非常止め装置８bのくさび用動作ばね２２を押し上げ、くさび２１を解除できる。つまり、図１に示すような状態に戻すことができる。
【０１０１】
これにより、上昇防止非常止め装置８bを解除したのち、エレベータを復帰させることができる。
【０１０２】
このような本発明の実施例１によれば、非常止め装置に設けられた弾性体によって非常止め装置のくさびを動作させることにより、昇降路の省スペース化を実現できる。
【０１０３】
また、かごの下降方向のみならず、かごの上昇方向にも非常止め装置を作動させることにより、より安全なかごの制御を行なうことができる。
【０１０４】
さらに、非常止め装置が動作した後に、作業員は、かごに設けられたロッドの上下方向操作を行なうのみで、簡単にエレベータの通常運転状態に戻すことができる。
【実施例２】
【０１０５】
以下、本発明の実施例２について、図７〜図１１を参照して説明する。
【０１０６】
なお、以下の各実施の形態において、上記実施例１と同一構成要素には同一符号を付して詳しい説明は省略する。
【０１０７】
図７は、本発明の実施例２に係るガバナ動作前のかごの側面図、図８は、本発明の実施例２に係るガバナ動作前のかごの正面図、図９は、本発明の実施例２に係るガバナ動作中のかごの正面図、図１０は、本発明の実施例２に係るガバナ動作後のかごの側面図、図１１は、本発明の実施例２に係るガバナ動作後のかごの正面図である。
【０１０８】
図７と図８に示すように、２つのかごシーブ９の間にガバナ用シーブ４１を設けている。そして、ガバナ用シーブ４１は、かご４が上昇かつ下降した場合に回転するように、ロープ３と接して配置する。
【０１０９】
また、そのガバナ用シーブ４１の軸の手前側には、ガバナ用シーブ４１の遠心力によって広がる下降防止ストッパ用ピン３０aを設置している。
【０１１０】
同様に、ガバナ用シーブ４１の軸の奥側にも、ガバナ用シーブ４１の遠心力によって広がる上昇防止ストッパ用ピン３０bを設置している。
【０１１１】
さらに、かご４の下部には、下降防止ストッパ２５aが配置されている。そして、下降防止ストッパ２５aは、ガバナ用シーブ４１の軸の手前側に設けられた下降防止ストッパ用ピン３０aと接触できるように設置されている。
【０１１２】
同様に、かご４の下部には、上昇防止ストッパ２５bが配置されている。そして、上昇防止ストッパ２５bは、ガバナ用シーブ４１の軸の奥側に設けられた上昇防止ストッパ用ピン３０bと接触できるように設置されている。
【０１１３】
ここで、下降防止ストッパ２５aはガバナ用シーブ４１が反時計回りの回転運動で解除されるように構成されている。
【０１１４】
一方、上昇防止ストッパ２５bはガバナ用シーブ４１が時計回りの回転運動で解除されるように構成されている。
【０１１５】
また、下降防止ストッパ２５aは、かご４の下部にて下降防止ロッド２３aと連結している。
【０１１６】
同様に、上昇防止ストッパ２５bは、かご４の下部にて上昇防止ロッド２３bと連結している。
【０１１７】
上記構成によれば、まず、図７と図８で示すように、エレベータの通常運転状態では、下降防止ストッパ２５aが下降防止ラッチ２４aと噛み合うことにより、下降防止非常止め装置８aのくさび２１が動作することを妨げている。
【０１１８】
同様に、上昇防止ストッパ２５bが上昇防止ラッチ２４bと噛み合うことにより、上昇防止非常止め装置８bのくさび２１が動作することを妨げている。
【０１１９】
ここで、かご４の上昇又は下降により、ガバナ用シーブ４１は回転する。
【０１２０】
しかし、下降かごシーブ９aの下降防止おもり３２aが下降防止ストッパ２５aに接触しない。
【０１２１】
同様に、上昇かごシーブ９bの上昇防止おもり３２bが上昇防止ストッパ２５bに接触しない。
【０１２２】
そのため、下降防止ストッパ２５aと上昇防止ストッパ２５bは解除されない。
【０１２３】
よって、エレベータは普通に運転される。
【０１２４】
このとき、図９で示すように、かご４の下降速度が設定値を超えた場合、ガバナ用シーブ４１の回転の遠心力により下降防止ばね３１aが伸びて外側に広がっていく。
【０１２５】
すると、ガバナ用シーブ４１に設けられた下降防止おもり３２aが下降防止ストッパ２５aに接触する。
【０１２６】
そのとき、下降防止ストッパ２５aは解除される。
【０１２７】
同様に、かご４の上昇速度が設定値を超えた場合、かごシーブ９の間に設けられたガバナ用シーブ４１の回転の遠心力により上昇防止ばね３１bが伸びて外側に広がっていく。
【０１２８】
すると、ガバナ用シーブ４１に設けられた上昇防止おもり３２bが上昇防止ストッパ２５bに接触する。
【０１２９】
そのとき、上昇防止ストッパ２５bは解除される。
【０１３０】
そして、下降防止ストッパ２５aが解除されると、下降防止ロッド２３aが動作可能となり、各ロッドと接続されているくさび２１も動作可能となる。
【０１３１】
くさび２１は、くさび動作ばね２２に押し上げられ、かご用ガイドレール２aに接触する。
【０１３２】
ここで、かご４の下降により、くさび２１がかご用ガイドレール２aに食い込み、下降防止非常止め装置８aが動作する。
【０１３３】
同様に、上昇防止ストッパ２５bが解除されると、上昇防止ロッド２３bが動作可能となり、各ロッドと接続されているくさび２１も動作可能となる。
【０１３４】
くさび２１は、くさび動作ばね２２に押し上げられ、かご用ガイドレール２aに接触する。
【０１３５】
ここで、かご４の上昇により、くさび２１がかご用ガイドレール２aに食い込み、上昇防止非常止め装置８bが動作する。
【０１３６】
さらに、本発明の実施例２に係るエレベータの非常止め装置の動作後の復帰作業を図１０と図１１を参照して説明する。
【０１３７】
図１０と図１１に示すように、下降防止非常止め装置８aの動作後では、まず、作業員はかご４を上げる。次に、作業員は下降防止ロッド２３aを下側に引く。
【０１３８】
すると、係合している下降防止ラッチ２４aと下降防止ストッパ２５aは、互いに係合している面が滑らかなR形状であり、ラッチ用ばね２６とストッパ用ばね２９が伸縮可能であることから、作業員は大きな力を必要とせずに互いの係合状態を解除する方向に動作させることができる。
【０１３９】
以上より、作業員は下降防止非常止め装置８aのくさび用動作ばね２２を押し下げ、くさび２１を解除できる。つまり、図８に示すような状態に戻すことができる。
【０１４０】
これにより、下降防止非常止め装置８aを解除したのち、エレベータを復帰させることができる。
【０１４１】
同様に、上昇防止非常止め装置８bの動作後では、まず、作業員はかご４を下げる。次に、作業員は上昇防止ロッド２３bを引き上げる。
【０１４２】
すると、係合している上昇防止ラッチ２４bと上昇防止ストッパ２５bは、互いに係合している面が滑らかなR形状であり、ラッチ用ばね２６とストッパ用ばね２９が伸縮可能であることから、作業員は大きな力を必要とせずに互いの係合状態を解除する方向に動作させることができる。
【０１４３】
以上より、作業員は上昇防止非常止め装置８bのくさび用動作ばね２２を押し上げ、くさび２１を解除できる。つまり、図８に示すような状態に戻すことができる。
【０１４４】
これにより、上昇防止非常止め装置８bを解除したのち、エレベータを復帰させることができる。
【０１４５】
このような本発明の実施例２によれば、非常止め装置に設けられた弾性体によって非常止め装置のくさびを動作させることにより、昇降路の省スペース化を実現できる。
【０１４６】
また、かごシーブにガバナを設けずに、新たに追加したガバナ用シーブにガバナを設けることで、従来のエレベータに対しても、容易にガバナを追加することができる。
【０１４７】
また、かごの下降方向のみならず、かごの上昇方向にも非常止め装置を作動させることにより、より安全なかごの制御を行なうことができる。
【０１４８】
さらに、非常止め装置が動作した後に、作業員は、かごに設けられたロッドの上下方向操作を行なうのみで、簡単にエレベータの通常運転状態に戻すことができる。
【実施例３】
【０１４９】
次に、本発明の実施例３について、図１２と図１３に参照して説明する。
【０１５０】
図１２は、本発明の実施例３に係わるガバナ動作前のかごの正面図、図１３は、本発明の実施例３に係わるガバナ動作前のかごの正面図である。
【０１５１】
図１２と図１３に示すように、かご４の下には、かご３と連結してベース５１(ロープ切断検出機構)が設けられている。
【０１５２】
そして、そのベース５１の先端には、回転可能にベースシーブ５２(ロープ切断検出機構)が設けられている。
【０１５３】
ここで、ベース５１は、ベースシーブ５２(ロープ切断検出機構)を介してロープ３と接している。
【０１５４】
また、ベース５１には、ベース回転体５３(ロープ切断検出機構)がベース回転体の軸５４(ロープ切断検出機構)を中心に回転可能に取りつけられている。
【０１５５】
さらに、ベース回転体５３の下部には回転可能にベース回転体シーブ５５(ロープ切断検出機構)が設けられている。
【０１５６】
ここで、ベース回転体５３は、そのおもさによるばね５６(ロープ切断検出機構)の伸びを、ロープ３が支えている。
【０１５７】
さらに、ベース回転体５３の水平方向の先端には、ベース回転体おもり５７(ロープ検出機構)が設けられている。そして、ベース回転体５３が回転することによってベース回転体おもり５７が下降防止ストッパ２５aに接触可能となっている。
上記構成によれば、万一、ロープ３が切断した場合では、かご４が重力によって落下するため、かご速度が大きくなる。
【０１５８】
しかし、ロープ３が切断されているために、上昇かごシーブ９a及び下降かごシーブ９bが回転しない。
【０１５９】
そのため、下降かごシーブ９aに設けられた下降防止おもり３２aが下降防止ストッパ２５aに接触することがなく、下降防止非常止め装置８aが作動しない。
【０１６０】
しかし、ロープ３に支えられているベース回転体５３がロープ３の切断により自らの支えを失なう。そして、ベース回転体５３はベース回転体おもり５７の重さによりベース回転体の軸５４を中心として回転運動をする。
【０１６１】
これにより、ベース回転体おもり５７が下降防止ストッパ２５aと接触し、下降防止ストッパ２５aが下降防止ストッパの軸２９aを中心に回転する。
【０１６２】
そして、下降防止ストッパ止め３０aと接触する。
【０１６３】
この動作により、下降防止ストッパ２５aが解除される。
【０１６４】
下降防止ストッパ２５aが解除されると、下降防止ラッチ２４aと連結している下降防止ロッド２３aが動作可能となり、下降防止ロッド２３aに接続されている下降防止非常止め装置８aのくさび２１も動作可能となる。
【０１６５】
くさび２１は、くさび動作用ばね２２に押し上げられ、かご用ガイドレール２aに接触する。
【０１６６】
そして、かご４の下降により、くさび２１がガイドレール２に食い込み、下降防止非常止め装置８aが動作する。
【０１６７】
このような本発明の実施例３によれば、ロープが切断した場合でも、かごを下降させることなく、下降防止用非常止め装置を動作させることができる。
【０１６８】
これにより、従来機械室に置いていた調速機と同等の機能をかごに持たせることができる。
【実施例４】
【０１６９】
以下、本発明の実施例４について、図１４〜図１８を参照して説明する。
【０１７０】
図１４は、本発明の実施例４に係るガバナ動作前のカウンタウェイトの側面図、図１５は、本発明の実施例４に係るガバナ動作前のカウンタウェイトの正面図、図１６は、本発明の実施例４に係るガバナ動作中のカウンタウェイトの正面図、図１７は、本発明の実施例４に係るガバナ動作後のカウンタウェイトの側面図、図１８は、本発明の実施例４に係るガバナ動作後のカウンタウェイトの正面図である。
【０１７１】
図１４と図１５に示すように、カウンタウェイト５の上部には、カウンタシーブ６である下降カウンタシーブ６aと上昇カウンタシーブ６bが、カウンタウェイト５に固定された２枚のブラケット６１に挟まれて設けられている。
【０１７２】
そして、この２つのカウンタシーブ６である下降カウンタシーブ６aと上昇カウンタシーブ６bは、ロープ３を巻掛けており、かご４の上昇又は下降に伴って回転する。
【０１７３】
また、この下降カウンタシーブ６aの軸には、下降カウンタシーブ６aの回転の遠心力により広がる下降防止ストッパ用ピン３０aが設置されている。
【０１７４】
同様に、この上昇カウンタシーブ６bの軸には、上昇カウンタシーブ６bの回転の遠心力により広がる上昇防止ストッパ２６ｂが設置されている。
【０１７５】
さらに、下降防止ストッパ用ピン３０aは、下降防止ばね３１aと下降防止おもり３７aから構成されており、下降カウンタシーブ６aの回転速度が速くなれば、下降防止ばね３１aが伸びるようになっている。そして、下降防止ばね３１aが伸びることにより、下降防止ストッパ用ピン３０aが下降防止ストッパ２５a又に接触するように配置されている。
【０１７６】
同様に、上昇防止ストッパ用ピン３０bは、上昇防止ばね３１bと上昇防止おもり３７bから構成されており、上昇カウンタシーブ６bの回転速度が速くなれば、上昇防止ばね３１bが伸びるようになっている。そして、上昇防止ばね３１bが伸びることにより、上昇防止ストッパ用ピン３０bが上昇防止ストッパ２５bに接触するように配置されている。
【０１７７】
ここで、下降カウンタシーブ６aの回転速度に対する下降防止ばね３１aの伸び量は、ばね定数などによって調整することができ、適度に調整されている。
【０１７８】
同様に、上昇カウンタシーブ６bの回転速度に対する上昇防止ばね３１bの伸び量は、ばね定数などによって調整することができ、適度に調整されている。
【０１７９】
上記構成によれば、まず、図１４と図１５で示すように、エレベータの通常運転状態では、下降防止ストッパ２５aが下降防止ラッチ２４aと噛み合うことにより、下降防止非常止め装置８aのくさび２１が動作することを妨げている。
【０１８０】
同様に、上昇防止ストッパ２５bが上昇防止ラッチ２４bと噛み合うことにより、上昇防止非常止め装置８bのくさび２１が動作することを妨げている。
【０１８１】
ここで、カウンタウェイト５の上昇又は下降により、下降カウンタシーブ６aと上昇カウンタシーブ６bは回転する。
【０１８２】
しかし、下降カウンタシーブ６aの下降防止おもり３２aが下降防止ストッパ２５aに接触しない。
【０１８３】
同様に、上昇カウンタシーブ６bの上昇防止おもり３２bが上昇防止ストッパ２５bに接触しない。
【０１８４】
そのため、下降防止ストッパ２５aと上昇防止ストッパ２５bは解除されない。
【０１８５】
よって、エレベータは普通に運転される。
【０１８６】
ここで、図１６で示すように、カウンタウェイト５の下降速度が設定値を超えた場合、下降カウンタシーブ６aの回転の遠心力により下降防止ばね３１aが伸びて外側に広がっていく。
【０１８７】
そして、下降カウンタシーブ６aに設けられた下降防止おもり３２aが下降防止ストッパ２５aに接触する。
【０１８８】
そのとき、下降防止ストッパ２５a又は解除される。
【０１８９】
同様に、カウンタウェイト５の上昇速度が設定値を超えた場合、上昇カウンタシーブ６bの回転の遠心力により上昇防止ばね３１bが伸びて外側に広がっていく。
【０１９０】
そして、上昇カウンタシーブ６bに設けられた上昇防止おもり３２bが上昇防止ストッパ２５bに接触する。
【０１９１】
そのとき、上昇防止ストッパ２５bは解除される。
【０１９２】
そして、下降防止ストッパ２５aが解除されると、下降防止ロッド２３aが動作可能となり、各ロッドと接続されているくさび２１も動作可能となる。
【０１９３】
ここで、くさび２１は、くさび動作ばね２２に押し上げられ、カウンタウェイト用ガイドレール２bに接触する。
【０１９４】
すると、カウンタウェイト５の下降により、くさび２１がカウンタウェイト用ガイドレール２bに食い込み、下降防止非常止め装置８aが動作する。
【０１９５】
よって、下降防止非常止め装置８aが作動すると、カウンタウェイト５の下降を制御でき、それに伴って、ロープ３と連結されているかご４の上昇も制御されることとなる。
【０１９６】
同様に、上昇防止ストッパ２５bが解除されると、上昇防止ロッド２３bが動作可能となり、各ロッドと接続されているくさび２１も動作可能となる。
【０１９７】
ここで、くさび２１は、くさび動作ばね２２に押し上げられ、カウンタウェイト用ガイドレール２bに接触する。
【０１９８】
すると、カウンタウェイト５の上昇により、くさび２１がカウンタウェイト用ガイドレール２bに食い込み、上昇防止非常止め装置８bが動作する。
【０１９９】
よって、上昇防止非常止め装置８bが作動すると、カウンタウェイト５の上昇を制御でき、それに伴って、ロープ３と連結されているかご４の下降も制御されることとなる。
【０２００】
さらに、本発明の実施例４に係るエレベータの非常止め装置の動作後の復帰作業について図１７と図１８を参照して説明する。
【０２０１】
図１７と図１８に示すように、下降防止非常止め装置８aの動作後では、まず、作業員はカウンタウェイト５を上げる。次に、作業員は下降防止ロッド２３aを引き上げる。
【０２０２】
すると、係合している下降防止ラッチ２４aと下降防止ストッパ２５aは、互いに係合している面が滑らかなR形状であり、ラッチ用ばね２６とストッパ用ばね２９が伸縮可能であることから、作業員は大きな力を必要とせずに互いの係合状態を解除する方向に動作させることができる。
【０２０３】
以上より、作業員は下降防止非常止め装置８aのくさび用動作ばね２２を押し下げ、くさび２１を解除できる。つまり、図１５に示すような状態に戻すことができる。
【０２０４】
これにより、下降防止非常止め装置８aを解除したのち、エレベータを復帰させることができる。
【０２０５】
同様に、上昇防止非常止め装置８bの動作後では、まず、作業員はかご４を下げる。次に、作業員は上昇防止ロッド２３bを引き上げる。
【０２０６】
すると、係合している上昇防止ラッチ２４bと上昇防止ストッパ２５bは、互いに係合している面が滑らかなR形状であり、ラッチ用ばね２６とストッパ用ばね２９が伸縮可能であることから、作業員は大きな力を必要とせずに互いの係合状態を解除する方向に動作させることができる。
【０２０７】
以上より、作業員は上昇防止非常止め装置８bのくさび用動作ばね２２を押し上げ、くさび２１を解除できる。つまり、図１５に示すような状態に戻すことができる。
【０２０８】
これにより、上昇防止非常止め装置８bを解除したのち、エレベータを復帰させることができる。
【０２０９】
このような本発明の実施例４によれば、カウンタウェイトの上部にガバナや動作機構を設けることにより、昇降路の省スペース化を実現できる。
【０２１０】
また、カウンタウェイトの下降方向のみならず、カウンタウェイトの上昇方向にも非常止め装置を作動させることにより、例えば停電時に、カウンタウェイトが下降かつかごが上昇する場合に、かごが異常上昇しないようにカウンタウェイトの異常下降を制御できる。
【０２１１】
これにより、かごと連結しているかごの制御をより安全に行なうことができる。
【０２１２】
さらに、ロープが切断した場合でも、カウンタウェイトがピット(図示せず)に落下するのを防ぎ、昇降路内の安全を確保できる。
【実施例５】
【０２１３】
以下、本発明の実施例５について、図１９〜図２３を参照して説明する。
【０２１４】
図１９は、本発明の実施例５に係わるガバナ動作前のカウンタウェイトの側面図、図２０は、本発明の実施例５に係わるガバナ動作前のカウンタウェイトの正面図、図２１は、本発明の実施例５に係るガバナ動作中のカウンタウェイトの正面図、図２２は、本発明の実施例５に係るガバナ動作後のカウンタウェイトの側面図、図２３は、本発明の実施例５に係るガバナ動作後のカウンタウェイトの正面図である。
【０２１５】
図１９と図２０に示すように、カウンタウェイト５の上部には、カウンタシーブ６がカウンタウェイト５に固定された２枚のブラケット６１で挟むようにして１つ設けられている。
【０２１６】
ここで、このカウンタシーブ６は、ロープ３を巻掛けており、かご４の上昇下降に伴って回転する。
【０２１７】
また、そのカウンタシーブ６の軸の手前側には、カウンタシーブ６の遠心力によって広がる上昇防止ストッパ用ピン３０bを設置し、同様に、ガバナ用シーブ４１の軸の奥側にもカウンタシーブ６の遠心力によって広がる下降防止ストッパ用ピン３０aが設けられている。このように、カウンタシーブ６には２つのピン２６が設けられている。
【０２１８】
さらに、カウンタウェイト６の上部には、上昇防止ストッパ２５bが、カウンタシーブ６の軸の手前側に設けられた上昇防止ストッパ用ピン３０bと接触できるように設置されている。
【０２１９】
同様に、下降防止ストッパ２５aが、カウンタシーブ６の軸の奥側に設けられた下降防止ストッパ用ピン２６bと接触できるように設置されている。
【０２２０】
ここで、カウンタシーブ６の回転速度に対する下降防止ばね３１a又は上昇防止ばね３１bの伸び量は、ばね定数などによって調整することができ、適度に調整されている。
【０２２１】
上記構成によれば、まず、図１９と図２０で示すように、エレベータの通常運転状態では、下降防止ストッパ２５aが下降防止ラッチ２４aと噛み合うことにより、下降防止非常止め装置８aのくさび２１が動作することを妨げている。
【０２２２】
同様に、上昇防止ストッパ２５bが上昇防止ラッチ２４bと噛み合うことにより、上昇防止非常止め装置８bのくさび２１が動作することを妨げている。
【０２２３】
ここで、カウンタウェイト５の上昇又は下降により、カウンタシーブ６は回転する。
【０２２４】
しかし、カウンタシーブ６の下降防止おもり３２aが下降防止ストッパ２５aに接触しない。
【０２２５】
同様に、カウンタシーブ６の上昇防止おもり３２bが上昇防止ストッパ２５bに接触しない。
【０２２６】
そのため、下降防止ストッパ２５aと上昇防止ストッパ２５bは解除されない。
【０２２７】
よって、エレベータは普通に運転される
ここで、図２１に示すように、カウンタウェイト５の下降速度が設定値を超えた場合、カウンタシーブ６の回転の遠心力により下降防止ばね３１a又は上昇防止ばね３１bが伸びて外側に広がっていく。そして、カウンタシーブ６に設けられた下降防止おもり３２aが下降防止ストッパ２５aに接触する。そのとき、下降防止ストッパ２５aは解除される。
【０２２８】
同様に、カウンタウェイト５の上昇速度が設定値を超えた場合、カウンタシーブ６の回転の遠心力により上昇防止ばね３１bが伸びて外側に広がっていく。そして、カウンタシーブ６に設けられた上昇防止おもり３２bが上昇防止ストッパ２５bに接触する。そのとき、上昇防止ストッパ２５bは解除される。
【０２２９】
そして、下降防止ストッパ２５aが解除されると、下降防止ロッド２３aが動作可能となり、各ロッドと接続されているくさび２１も動作可能となる。
【０２３０】
くさび２１は、くさび動作ばね２２に押し上げられ、カウンタウェイト用ガイドレール２bに接触する。
【０２３１】
そのとき、カウンタウェイト５の下降により、くさび２１がカウンタウェイト用ガイドレール２bに食い込む。
【０２３２】
これにより、下降防止非常止め装置８aが動作する。
【０２３３】
同様に、上昇防止ストッパ２５bが解除されると、上昇防止ロッド２３bが動作可能となり、各ロッドと接続されているくさび２１も動作可能となる。
【０２３４】
くさび２１は、くさび動作ばね２２に押し上げられ、カウンタウェイト用ガイドレール２bに接触する。
【０２３５】
そのとき、カウンタウェイト５の上昇により、くさび２１がカウンタウェイト用ガイドレール２bに食い込む。
【０２３６】
これにより、下降防止非常止め装置８a又は上昇防止非常止め装置８bが動作する。
【０２３７】
ここで、下降防止非常止め装置８aが作動すると、カウンタウェイト５の下降又を制御でき、それに伴って、ロープ３と連結されているかご４の上昇も制御されることとなる。
【０２３８】
同様に、上昇防止非常止め装置８bが作動すると、カウンタウェイト５の上昇を制御でき、それに伴って、ロープ３と連結されているかご４の下降も制御されることとなる。
【０２３９】
さらに、本発明の実施例５に係るエレベータの非常止め装置の動作後の復帰作業について図２２と図２３を参照して説明する。
【０２４０】
図２２と図２３に示すように、下降防止非常止め装置８aの動作後では、まず、カウンタウェイト５を上げる。次に、下降防止ロッド２３aを下側に引く。
【０２４１】
すると、係合している下降防止ラッチ２４aと下降防止ストッパ２５aは、互いに係合している面が滑らかなR形状であり、ラッチ用ばね２６とストッパ用ばね２９が伸縮可能であることから、作業員は大きな力を必要とせずに互いの係合状態を解除する方向に動作させることができる。
【０２４２】
以上より、作業員は下降防止非常止め装置８aのくさび用動作ばね２２を押し下げ、くさび２１を解除できる。つまり、図２０に示すような状態に戻すことができる。
【０２４３】
これにより、下降防止非常止め装置８aを解除したのち、エレベータを復帰させることができる。
【０２４４】
同様に、上昇防止非常止め装置８bの動作後では、まず、作業員はかご４を下げる。次に、作業員は上昇防止ロッド２３bを引き上げる。
【０２４５】
すると、係合している上昇防止ラッチ２４bと上昇防止ストッパ２５bは、互いに係合している面が滑らかなR形状であり、ラッチ用ばね２６とストッパ用ばね２９が伸縮可能であることから、作業員は大きな力を必要とせずに互いの係合状態を解除する方向に動作させることができる。
【０２４６】
以上より、作業員は上昇防止非常止め装置８bのくさび用動作ばね２２を押し上げ、くさび２１を解除できる。つまり、図２０に示すような状態に戻すことができる。
【０２４７】
これにより、上昇防止非常止め装置８bを解除したのち、エレベータを復帰させることができる。
【０２４８】
このような本発明の実施例５によれば、カウンタウェイトの上部にガバナや動作機構を設けることにより、昇降路の省スペース化を実現できる。
【０２４９】
また、カウンタウェイトの下降方向のみならず、カウンタウェイトの上昇方向にも非常止め装置を作動させることにより、カウンタウェイトと連結しているかごの制御をより安全に行なうことができる。
【０２５０】
また、カウンタウェイトの下降方向のみならず、カウンタウェイトの上昇方向にも非常止め装置を作動させることにより、例えば停電時に、カウンタウェイトが下降かつかごが上昇する場合に、かごが異常上昇しないようにカウンタウェイトの異常下降を制御できる。
【０２５１】
これにより、かごと連結しているかごの制御をより安全に行なうことができる。
【０２５２】
さらに、ロープが切断した場合でも、カウンタウェイトがピットに落下するのを防ぎ、昇降路内の安全を確保できる。
【０２５３】
なお、本発明は、上記した各実施の形態には限定されず、種々変形して実施できることは言うまでもない。例えば、本実施例では、かご４に下降防止非常止め装置８aと上昇防止非常止め装置８bの両方を設けているが、下降防止非常止め装置８aのみを設けてもかまわない。
【０２５４】
また、本実施例では、かごシーブ９をかご４に２つ設けているが、例えば、かごシーブ９をかご４に４つ設けてもかまわない。
【０２５５】
さらに、本実施例では、かご４とカウンタウェイト５の両方に下降防止非常止め装置８aと上昇防止非常止め装置８bをそれぞれ設けていたが、例えば、かご４に下降防止非常止め装置８aのみを設け、カウンタウェイト５に下降防止非常止め装置８aのみを設けてもかまわない。
【図面の簡単な説明】
【０２５６】
【図１】本発明のエレベータの全体図。
【図２】本発明の実施例１に係るガバナ動作前のかごの側面図。
【図３】本発明の実施例１に係るガバナ動作前のかごの正面図。
【図４】本発明の実施例１に係るガバナ動作中のかごの正面図。
【図５】本発明の実施例１に係るガバナ動作後のかごの側面図。
【図６】本発明の実施例１に係るガバナ動作後のかごの正面図。
【図７】本発明の実施例２に係るガバナ動作前のかごの側面図。
【図８】本発明の実施例２に係るガバナ動作前のかごの正面図。
【図９】本発明の実施例２に係るガバナ動作中のかごの正面図。
【図１０】本発明の実施例２に係るガバナ動作後のかごの側面図。
【図１１】本発明の実施例２に係るガバナ動作後のかごの正面図。
【図１２】本発明の実施例３に係るガバナ動作前のかごの側面図。
【図１３】本発明の実施例３に係るガバナ動作前のかごの正面図。
【図１４】本発明の実施例４に係るガバナ動作前のカウンタウェイトの側面図。
【図１５】本発明の実施例４に係るガバナ動作前のカウンタウェイトの正面図。
【図１６】本発明の実施例４に係るガバナ動作中のカウンタウェイトの正面図。
【図１７】本発明の実施例４に係るガバナ動作後のカウンタウェイトの側面図。
【図１８】本発明の実施例４に係るガバナ動作後のカウンタウェイトの正面図。
【図１９】本発明の実施例５に係るガバナ動作前のカウンタウェイトの側面図。
【図２０】本発明の実施例５に係るガバナ動作前のカウンタウェイトの正面図。
【図２１】本発明の実施例５に係るガバナ動作中のカウンタウェイトの正面図。
【図２２】本発明の実施例５に係るガバナ動作後のカウンタウェイトの側面図。
【図２３】本発明の実施例５に係るガバナ動作後のカウンタウェイトの正面図。
【図２４】従来のエレベータの側面図。
【図２５】従来のエレベータのかごの側面図。
【符号の説明】
【０２５７】
１…昇降路
２a…かご用ガイドレール
２b…カウンタウェイト用ガイドレール
３…ロープ
４…かご
５…カウンタウェイト
６…カウンタシーブ
６a…下降カウンタシーブ
６b…上昇カウンタシーブ
７…案内具
８…非常止め装置
８a…下降防止非常止め装置
８b…上昇防止非常止め装置
９…かごシーブ
９a…下降かごシーブ
９b…上昇かごシーブ
１０…機械室
１１…巻上機
１２…そらせシーブ
１３…作業ロープ
１４…滑車
２１…くさび
２２…くさび動作用ばね(非常止め用弾性体)
２３a…下降防止ロッド(伝達機構)
２３b…上昇防止ロッド(伝達機構)
２４…ラッチ
２４a…下降防止ラッチ(伝達機構)
２４b…上昇防止ラッチ(伝達機構)
２５…ストッパ
２５a…下降防止ストッパ(伝達機構)
２５b…上昇防止ストッパ(伝達機構)
２６…ラッチ用ばね(伝達機構)
２７…軸
２７a…下降防止ストッパの軸(伝達機構)
２７b…上昇防止ストッパの軸(伝達機構)
２８…ストッパ止め
２８a…下降防止ストッパ止め(伝達機構)
２８b…上昇防止ストッパ止め(伝達機構)
２９…ストッパ用ばね(伝達機構)
３０…ピン
３０a…下降防止ストッパ用ピン(ガバナ)
３０b…上昇防止ストッパ用ピン(ガバナ)
３１…ばね
３１a…下降防止用ばね(ガバナ)
３１b…上昇防止用ばね(ガバナ)
３２…おもり
３２a…下降防止用おもり(ガバナ)
３２b…上昇防止用おもり(ガバナ)
４１…ガバナ用シーブ
５１…ベース(ロープ切断検出機構)
５２…ベースシーブ(ロープ切断検出機構)
５３…ベース回転体(ロープ切断検出機構)
５４…ベース回転体の軸(ロープ切断検出機構)
５５…ベース回転体シーブ(ロープ切断検出機構)
５６…ばね(ロープ切断検出機構)
５７…ベース回転体おもり(ロープ切断検出機構)
６１…ブラケット
【図１】
2005104653.tif 000003
【図２】
2005104653.tif 000004
【図３】
2005104653.tif 000005
【図４】
2005104653.tif 000006
【図５】
2005104653.tif 000007
【図６】
2005104653.tif 000008
【図７】
2005104653.tif 000009
【図８】
2005104653.tif 000010
【図９】
2005104653.tif 000011
【図１０】
2005104653.tif 000012
【図１１】
2005104653.tif 000013
【図１２】
2005104653.tif 000014
【図１３】
2005104653.tif 000015
【図１４】
2005104653.tif 000016
【図１５】
2005104653.tif 000017
【図１６】
2005104653.tif 000018
【図１７】
2005104653.tif 000019
【図１８】
2005104653.tif 000020
【図１９】
2005104653.tif 000021
【図２０】
2005104653.tif 000022
【図２１】
2005104653.tif 000023
【図２２】
2005104653.tif 000024
【図２３】
2005104653.tif 000025
【図２４】
2005104653.tif 000026
【図２５】
2005104653.tif 000027